【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
近接無線通信を実行可能な情報処理装置であって、
画面を表示する表示手段と、
前記近接無線通信を用いて、近接無線通信タグから印刷装置の識別情報を取得する取得手段と、
前記取得手段が前記識別情報を取得した場合に、前記表示手段が表示中の画面に対応する処理を実行する処理手段と
を備え、
前記表示手段が表示中の画面が画像のプレビュー画面である場合に、前記処理手段は、前記識別情報が示す印刷装置に前記近接無線通信とは異なる無線通信で接続し、前記画像を印刷するための印刷ジョブを前記印刷装置に送信する第１の処理を実行し、
前記表示手段が表示中の画面が前記プレビュー画面とは異なる所定の画面である場合に、前記処理手段は、前記識別情報が示す印刷装置に前記近接無線通信とは異なる無線通信で接続する第２の処理を実行することを特徴とする情報処理装置。
【請求項２】
前記第２の処理は、
前記識別情報が示す印刷装置を探索する処理と、
前記印刷装置を探索できた場合に、前記印刷装置に前記近接無線通信とは異なる無線通信で接続し、前記印刷装置を探索できなかった場合に、前記表示手段にエラー表示をさせる処理とを含むことを特徴とする請求項１に記載の情報処理装置。
【請求項３】
近接無線通信を実行可能な情報処理装置であって、
画面を表示する表示手段と、
前記近接無線通信を用いて、近接無線通信タグから印刷装置の識別情報を取得する取得手段と、
前記取得手段が前記識別情報を取得した場合に、前記表示手段が表示中の画面に対応する処理を実行する処理手段と
を備え、
前記表示手段が表示中の画面が画像のプレビュー画面である場合に、前記処理手段は、前記識別情報が示す印刷装置に前記近接無線通信とは異なる無線通信で接続して前記画像を印刷するための印刷ジョブを前記印刷装置に送信する第１の処理を実行し、
前記表示手段が表示中の画面が前記プレビュー画面とは異なる所定の画面である場合に、前記処理手段は、前記識別情報が示す印刷装置を通信相手として特定する第２の処理を実行することを特徴とする情報処理装置。
【請求項４】
前記第２の処理は、
前記識別情報が示す印刷装置を探索する処理と、
前記印刷装置を探索できた場合に、前記印刷装置を通信相手として特定し、前記印刷装置を探索できなかった場合に、前記表示手段にエラー表示をさせる処理とを含むことを特徴とする請求項３に記載の情報処理装置。
【請求項５】
前記第１の処理は、
前記識別情報が示す印刷装置を探索する処理と、
前記印刷装置を探索できた場合に、前記印刷装置に前記近接無線通信とは異なる無線通信で接続して前記印刷ジョブを前記印刷装置に送信し、前記印刷装置を探索できなかった場合に、前記表示手段にエラー表示をさせる処理とを含むことを特徴とする請求項１乃至４のいずれか一項に記載の情報処理装置。
【請求項６】
前記所定の画面は、前記情報処理装置にインストールされているアプリケーションのＨＯＭＥ画面であることを特徴とする請求項１乃至５のいずれか一項に記載の情報処理装置。
【請求項７】
前記所定の画面は、印刷装置に探索に関する画面であることを特徴とする請求項１乃至５のいずれか一項に記載の情報処理装置。
【請求項８】
前記所定の画面は、印刷対象の画像の選択に関する画面であることを特徴とする請求項１乃至５のいずれか一項に記載の情報処理装置。
【請求項９】
情報処理装置にインストールされるアプリケーションが実行する制御方法であって、
画面を表示する表示工程と、
印刷装置の識別情報を近接無線通信タグから前記情報処理装置が取得し、かつ、前記アプリケーションが表示中の画面が画像のプレビュー画面である場合に、前記識別情報が示す印刷装置に近接無線通信とは異なる無線通信で接続し、前記画像を印刷するための印刷ジョブを前記印刷装置に送信する第１の処理を実行し、
印刷装置の識別情報を近接無線通信タグから前記情報処理装置が取得し、かつ、前記アプリケーションが表示中の画面が前記プレビュー画面とは異なる所定の画面である場合に、前記識別情報が示す印刷装置に前記近接無線通信とは異なる無線通信で接続する第２の処理を実行する制御工程と
を有することを特徴とする制御方法。
【請求項１０】
前記第２の処理は、
前記識別情報が示す印刷装置を探索する処理と、
前記印刷装置を探索できた場合に、前記印刷装置に前記近接無線通信とは異なる無線通信で接続し、前記印刷装置を探索できなかった場合に、エラー表示を行う処理とを含むことを特徴とする請求項９に記載の制御方法。
【請求項１１】
情報処理装置にインストールされるアプリケーションが実行する制御方法であって、
画面を表示する表示工程と、
印刷装置の識別情報を近接無線通信タグから前記情報処理装置が取得し、かつ、前記アプリケーションが表示中の画面が画像のプレビュー画面である場合に、前記識別情報が示す印刷装置に近接無線通信とは異なる無線通信で接続し、前記画像を印刷するための印刷ジョブを前記印刷装置に送信する第１の処理を実行し、
印刷装置の識別情報を近接無線通信タグから前記情報処理装置が取得し、かつ、前記アプリケーションが表示中の画面が前記プレビュー画面とは異なる所定の画面である場合に、前記識別情報が示す印刷装置を通信相手として特定する第２の処理を実行する制御工程と
を有することを特徴とする制御方法。
【請求項１２】
前記第２の処理は、
前記識別情報が示す印刷装置を探索する処理と、
前記印刷装置を探索できた場合に、前記印刷装置を通信相手として特定し、前記印刷装置を探索できなかった場合に、エラー表示を行う処理とを含むことを特徴とする請求項１１に記載の制御方法。
【請求項１３】
前記第１の処理は、
前記識別情報が示す印刷装置を探索する処理と、
前記印刷装置を探索できた場合に、前記印刷装置に前記近接無線通信とは異なる無線通信で接続して前記印刷ジョブを前記印刷装置に送信し、前記印刷装置を探索できなかった場合に、エラー表示を行う処理とを含むことを特徴とする請求項９乃至１２のいずれか一項に記載の制御方法。
【請求項１４】
前記所定の画面は、前記アプリケーションのＨＯＭＥ画面であることを特徴とする請求項９乃至１３のいずれか一項に記載の制御方法。
【請求項１５】
前記所定の画面は、印刷装置に探索に関する画面であることを特徴とする請求項９乃至１３のいずれか一項に記載の制御方法。
【請求項１６】
前記所定の画面は、印刷対象の画像の選択に関する画面であることを特徴とする請求項９乃至１３のいずれか一項に記載の制御方法。
【請求項１７】
請求項９乃至１６のいずれか一項に記載の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置およびその制御方法、並びにプログラム
【手続補正３】
【補正対象書類名】明細書
【補正対象項目名】０００７
【補正方法】変更
【補正の内容】
【０００７】
上記課題を解決するために本願発明は以下の構成を有する。すなわち、近接無線通信を実行可能な情報処理装置であって、画面を表示する表示手段と、前記近接無線通信を用いて、近接無線通信タグから印刷装置の識別情報を取得する取得手段と、前記取得手段が前記識別情報を取得した場合に、前記表示手段が表示中の画面に対応する処理を実行する処理手段とを備え、前記表示手段が表示中の画面が画像のプレビュー画面である場合に、前記処理手段は、前記識別情報が示す印刷装置に前記近接無線通信とは異なる無線通信で接続し、前記画像を印刷するための印刷ジョブを前記印刷装置に送信する第１の処理を実行し、前記表示手段が表示中の画面が前記プレビュー画面とは異なる所定の画面である場合に、前記処理手段は、前記識別情報が示す印刷装置に前記近接無線通信とは異なる無線通信で接続する第２の処理を実行する。